(57)【特許請求の範囲】
【請求項１】
水槽部に収容した液体を一定の温度に保持する恒温水槽において、外装キャビネットを構成する上下方向に起立した上フロントパネル部，右サイドパネル部，左サイドパネル部及び上リアパネル部を有する本体パネル部を備え、前記上フロントパネル部，前記右サイドパネル部，前記左サイドパネル部及び前記上リアパネル部の内面にそれぞれ支持ブラケットを設けて支持部を構成するとともに、前記水槽部の上端縁部に、外方へ延出し、かつ前記各支持ブラケットに係止して当該各支持ブラケットにより直接支持される鍔状の係止面部を設けてなることを特徴とする恒温水槽。
【請求項２】
前記本体パネル部は、上端に結合片部を一体形成し、この結合片部に前記各支持ブラケットを取付けることにより前記支持部を構成することを特徴とする請求項１記載の恒温水槽。
【請求項３】
前記外装キャビネットは、前記結合片部を含む前記本体パネル部の上端を覆うカバーパネル部を有することを特徴とする請求項１又は２記載の恒温水槽。
【請求項４】
前記本体パネル部は、波形に形成したパンチングパネルを用いた通気窓部を有することを特徴とする請求項１記載の恒温水槽。
【発明の詳細な説明】
【０００１】
【発明の属する技術分野】
本発明は、水槽部に収容した液体を一定温度に保持する試験等に用いる恒温水槽に関する。
【０００２】
【従来技術及び課題】
一般に、液体を収容する水槽部を備え、当該液体を一定温度に保持することにより、試験管等を液体に浸けて試験等を行うための恒温水槽は、特開平９−１４７５３号公報等で知られており、この種の恒温水槽の水槽部には、液体を加熱する加熱装置（ヒータユニット）、さらには液体を冷却する冷却装置が付設されている。
【０００３】
ところで、この種の恒温水槽は、通常、放熱を確保するための通気窓部を有する外装キャビネットにより全体が覆われているが、従来の恒温水槽では、外装キャビネットの内部にフレーム部材を設け、このフレーム部材により水槽部を支持するとともに、このフレーム部材に外装キャビネットを取付ける構造を採用していた。また、図６に示すように、外装キャビネットのパネル部６１に、多数の孔６２…を直接形成することにより、通気窓部６０を設けていた。
【０００４】
このため、従来の恒温水槽は、水槽部に対する支持構造の複雑化及び部品点数の増加により、コストアップ，重量アップ及び組立性低下を招くとともに、通気窓部を有する外装キャビネットの十分な通気性，商品性（デザイン性）及び機械的強度を確保できない問題があった。
【０００５】
本発明は、このような従来技術に存在する課題を解決したものであり、部品点数の削減によるコストダウン，小型軽量化及び組立性向上を図れるとともに、通気窓部を有する外装キャビネットの十分な通気性，商品性（デザイン性）及び機械的強度を確保することができる恒温水槽の提供を目的とする。
【０００６】
【課題を解決するための手段及び実施の形態】
本発明は、水槽部２に収容した液体を一定の温度に保持する恒温水槽Ｍを構成するに際して、外装キャビネット４を構成する上下方向に起立した上フロントパネル部１１ｕ，右サイドパネル部１２，左サイドパネル部１３及び上リアパネル部１４ｕを有する本体パネル部５を備え、上フロントパネル部１１ｕ，右サイドパネル部１２，左サイドパネル部１３及び上リアパネル部１４ｕの内面にそれぞれ支持ブラケット６ａ，６ｂ，６ｃ，６ｄを設けて支持部６を構成するとともに、水槽部２の上端縁部に、外方へ延出し、かつ各支持ブラケット６ａ，６ｂ，６ｃ，６ｄに係止して当該各支持ブラケット６ａ，６ｂ，６ｃ，６ｄにより直接支持される鍔状の係止面部３を設けてなることを特徴とする。
【０００７】
この場合、好適な実施の形態により、本体パネル部５は、上端に結合片部５ａ，５ｂ，５ｃ，５ｄを一体形成し、この結合片部５ａ，５ｂ，５ｃ，５ｄに各支持ブラケット６ａ，６ｂ，６ｃ，６ｄを取付けることにより支持部６を構成する。また、外装キャビネット４には、結合片部５ａ，５ｂ，５ｃ，５ｄを含む本体パネル部５の上端を覆うカバーパネル部７を設けるとともに、本体パネル部５には、波形に形成したパンチングパネル８を用いた通気窓部９を設ける。
【０００８】
【実施例】
次に、本発明の好適な実施例に係る恒温水槽Ｍについて、図１〜図５を参照して詳細に説明する。
【０００９】
図３に示す恒温水槽Ｍにおいて、４は、外装キャビネットであり、この外装キャビネット４は、図１に示すように、上フロントパネル部１１ｕ，下フロントパネル部１１ｄ，右サイドパネル部１２，左サイドパネル部１３，上リアパネル部１４ｕ及び下リアパネル部１４ｄからなる本体パネル部５を備える。また、上フロントパネル部１１ｕ，右サイドパネル部１２，左サイドパネル部１３及び上リアパネル部１４ｕの上端には、それぞれ結合片部５ａ，５ｂ，５ｃ及び５ｄを一体形成し、各結合片部５ａ，５ｂ，５ｃ及び５ｄの内面に、Ｌ形に折曲した支持ブラケット６ａ，６ｂ，６ｃ及び６ｄを固定ねじ等により取付ける。これにより、各パネル部１１ｕ，１２，１３，１４ｕの内面には、内方へ水平に突出した支持面部６ａｓ，６ｂｓ，６ｃｓ及び６ｄｓが設けられ、これらの支持面部６ａｓ，６ｂｓ，６ｃｓ及び６ｄｓは、水槽部２を直接支持する支持部６を構成する（図２参照）。
【００１０】
一方、本体パネル部５の上端はカバーパネル部７により覆う。カバーパネル部７は、図３に示すように、水平となるカバー面部７ｃの四辺から下方に延出した係合面部７ｖを一体に有し、カバーパネル部７を本体パネル部５の上端に装着した際には、係合面部７ｖが結合片部５ａ，５ｂ，５ｃ及び５ｄの外面に係合する。これにより、結合片部５ａ，５ｂ，５ｃ及び５ｄは、全体が係合面部７ｖにより覆われ、支持ブラケット６ａ，６ｂ，６ｃ及び６ｄを取付けた際の固定ねじ等は隠れる構造となる。また、本体パネル部５の下端は図に現れないベースパネル部により覆う。このベースパネル部の底面には、図３に示す複数の自在キャスタ１５…を備える。なお、図３は、組立てた状態の外装キャビネット４の外観構成を示す
【００１１】
また、カバーパネル部７は、前側に試料口１６を有するとともに、後側に挿通口１７を有する。試料口１６は、後述する水槽部２に対して試料等を出入れするための開口であり、取手１９を有する開閉カバー１８を付設する。一方、挿通口１７上には、仮想線で示す操作ユニット２０を設置する。操作ユニット２０は、外面に操作パネルを有するとともに、内部にはコントローラ及びモータ等を内蔵し、コントローラにより制御されるヒータ及びモータにより回転する撹拌棒は、挿通口１７から水槽部２の内部に進入する。
【００１２】
他方、２は、上方に開口した水槽部であり、前面部，右側面部，左側面部，後面部及び底面部の五面を有する。水槽部２の上端縁部には、全周にわたって、外方に延出した鍔状（フランジ状）の係止面部３を設け、この係止面部３を上述した支持部６、即ち、支持面部６ａｓ，６ｂｓ，６ｃｓ及び６ｄｓの上に載せることにより水槽部２の組付けを行う。これにより、水槽部２は、外装キャビネット４により直接支持される（図２参照）。このような構造により、水槽部２を支持する別途のフレーム部材等が不要となり、少ない部品点数により組付けを行うことができ、コストダウン，小型軽量化及び組立性向上に寄与できる。
【００１３】
さらに、水槽部２には、当該水槽部２に収容した液体を冷却する冷却部２１を付設する。冷却部２１は、五枚の熱交換面部２２ａ，２２ｂ，２２ｃ…２２ｅを備え、各熱交換面部２２ａ…は、所定の面積を有する冷却面に沿って冷媒が流れる冷媒流路を有する。各熱交換面部２２ａ，２２ｂ，２２ｃ…２２ｅは、図２に示すように、水槽部２の外壁面２ｆにおける右側面部，前面部，左側面部，後面部及び底面部にそれぞれ重ねて固着し、各熱交換面部２２ａ，２２ｂ，２２ｃ…２２ｅ間を接続管２４，２５…により順次直列に接続する。直列接続した熱交換面部２２ａ…は、不図示の凝縮器，コンプレッサ，ドライヤ，キャピラリチューブ及びアキュムレータ等と共に、冷媒が循環する冷凍サイクルを構成し、各熱交換面部２２ａ…は、冷却器として機能する。なお、２３は、直列接続した熱交換面部２２ａ…に対する冷媒の流入管、２６は、直列に接続した熱交換面部２２ａ…からの冷媒の流出管をそれぞれ示す。このような冷却部２１は、冷媒を循環させるコイルを水槽部の外壁面に接触させる従来の冷却部に比べて、冷却効率及び冷却能力（冷却効果）を飛躍的に高めることができるとともに、応答性及び精度の高い液温制御を行うことができる。
【００１４】
他方、下フロントパネル部１１ｄには、波形に形成したパンチングパネル８を用いた通気窓部９を設ける。この場合、下フロントパネル部１１ｄには、開口窓部３１を設けるとともに、左右縁部には、内方（後方）へ折曲形成した縦方向の係合溝部３２，３３を設け、さらに、下縁部には、内方（後方）へ折曲形成した水平縁部３４を設ける。
【００１５】
一方、配列した多数の小円孔３５…を有する平坦なパンチングプレートを用意し、プレス成形することにより、図４に示す波形となるパンチングパネル８を製作する。なお、パンチングプレートの開口率は、６０％程度で十分である。そして、波形成形したパンチングパネル８は、図４に示すように、左右両側を下フロントパネル部１１ｄの係合溝部３２，３３に上から差し込んで組付を行う。したがって、組付けた際には、パンチングパネル８と下フロントパネル部１１ｄ間にガタ等が生じないように、パンチングパネル８の大きさ及び係合溝部３２，３３の形状等を予め選定する。
【００１６】
このような通気窓部９を採用することにより、パンチングパネル８の実質有効面積（実質開口率）が増大し、十分な通気性が確保されるとともに、特に、外装キャビネット４の顔ともなる下フロントパネル部１１ｄにおける商品性（デザイン性）及び機械的強度が高められる。
【００１７】
以上、実施例について詳細に説明したが、本発明はこのような実施例に限定されるものではなく、細部の構成，形状，数量等において、本発明の要旨を逸脱しない範囲で任意に変更，追加，削除することができる。
【００１８】
【発明の効果】
このように、本発明に係る恒温水槽は、外装キャビネットを構成する上下方向に起立した上フロントパネル部，右サイドパネル部，左サイドパネル部及び上リアパネル部を有する本体パネル部を備え、上フロントパネル部，右サイドパネル部，左サイドパネル部及び上リアパネル部の内面にそれぞれ支持ブラケットを設けて支持部を構成するとともに、水槽部の上端縁部に、外方へ延出し、かつ各支持ブラケットに係止して当該各支持ブラケットにより直接支持される鍔状の係止面部を設けてなるため、次のような顕著な効果を奏する。
【００１９】
（１）  水槽部を外装キャビネットにより直接支持するため、水槽部を支持する別途のフレーム部材等が不要となり、部品点数の削減によるコストダウン，小型軽量化及び組立性向上を図ることができる。
【００２０】
（２）  好適な実施の形態により、本体パネル部の上端に一体形成した結合片部に支持ブラケットを取付けて支持部を構成するとともに、結合片部を含む本体パネル部の上端を覆うカバーパネル部を設ければ、固定ねじ等が隠れる構造となり、商品性（デザイン性）を高めることができる。
【００２１】
（３）  好適な実施の形態により、本体パネル部を、波形に形成したパンチングパネルを用いた通気窓部を設けて構成すれば、通気窓部を有する外装キャビネットの十分な通気性，商品性（デザイン性）及び機械的強度を確保することができる。
【図面の簡単な説明】
【図１】本発明の好適な実施例に係る恒温水槽の主要部品を示す分解斜視図、
【図２】同恒温水槽の一部を示す断面正面図、
【図３】同恒温水槽の外観斜視図、
【図４】同恒温水槽の外装キャビネットにおける下フロントパネル部の側面断面図、
【図５】同恒温水槽の外装キャビネットにおける下フロントパネル部の正面図、
【図６】従来の恒温水槽の外装キャビネットにおける通気窓部の正面図、
【符号の説明】
２      水槽部
３      係止面部
４      外装キャビネット
５      本体パネル部
５ａ…  結合片部
６      支持部
６ａ…  支持ブラケット
７      カバーパネル部
８      パンチングパネル
９      通気窓部
１１ｕ  上フロントパネル部
１２    右サイドパネル部
１３    左サイドパネル部
１４ｕ  上リアパネル部
Ｍ      恒温水槽
【図１】
0003556149.tif 000002
【図２】
0003556149.tif 000003
【図３】
0003556149.tif 000004
【図４】
0003556149.tif 000005
【図５】
0003556149.tif 000006
【図６】
0003556149.tif 000007